(57)【特許請求の範囲】
【請求項１】
コの字型を成す本体は、刃体が出没する貫通孔を有する前端部と、前記刃体の背側を覆う上部内側空間を有する本体上部と、前記刃体の刃側を覆う下部内側空間を有する本体下部によって構成され、また前記刃体を前後摺動させるスライダーは、前記本体上部を挿通させる為の貫通孔を有し、前記本体上部と前記本体下部の間に位置する部位に前記スライダーを係止または固定させるロック機構部と、前記刃体と接続するアーム部を有し、更に前記本体の後端部に取り付ける尾栓は脱着可能に構成されたカッターナイフ。
【請求項２】
前記スライダーに内蔵された前記ロック機構は、前記本体上部か前記本体下部、もしくはその両方に刻まれたノッチの間隔で前記刃体を係止または固定させる事が出来る、請求項１に記載されたカッターナイフ。
【請求項３】
前記アーム部は二本一対で、前記刃体を両側から挟む形状であり、一方のアーム部には前記刃体の接続用貫通孔に挿通させる接続用突起を有し、前記アーム部の根元に刃体回転防止用突起を有する事を特徴とする、請求項１に記載されたカッターナイフ。
【請求項４】
前記アーム部は二本一対で、長手方向の寸法に多少の差が設けてあり、またばね等の弾性体を内蔵させる事により、洗濯バサミの様に前記刃体後部を挟んで固定出来る事を特徴とする、請求項３に記載されたカッターナイフ。
【請求項５】
前記尾栓は、前記本体上部及び前記本体下部の後端を覆うキャップ状部分と、前記上部内側空間及び前記下部内側空間と、それらに挟まれた空間に嵌るサイズの板状突起を有する事を特徴とする、請求項１に記載されたカッターナイフ。
【発明の詳細な説明】
【技術分野】
【０００１】
本発明は、従来のカッターナイフの本体とスライダーの形状を変更することにより、部品の向きの変更や部品の差し替えを要すること無く、左右どちらの手でも同じ使い心地を実現する、利き手を問わないカッターナイフに関するものである。
【背景技術】
【０００２】
図１１は一般的なカッターナイフで、スライダーの操作部を有した面(Ａ)と、その反対面(Ｂ)である。
【０００３】
図１２は特許文献１に記載のカッターナイフであり、利き手に応じた適正な向きに尾栓を反転させる事が出来る物である。
【０００４】
図１３は左利き用カッターナイフである。
【０００５】
図１４は螺子留めによりスライダーをロックするカッターナイフである。
【先行技術文献】
【特許文献】
【０００６】
【特許文献１】特開  第２００１−２９３２６４号
【特許文献２】特開  第２０１２−６５９９９号
【発明の概要】
【発明が解決しようとする課題】
【０００７】
図１１における一般的なカッターナイフは、刃体を前後摺動させるスライダーの操作部が本体の一方の面に有り、他方は閉じられた面で構成される為、右手での使用に適した構造になっている。
左手で使用する際、右手で刃体を出した後左手に持ち替えるか、左手で刃が上向きの状態で刃体を出した後、カッターナイフの向きを変えなければならない為、右手で使用する場合より動作が多くなる。
【０００８】
図１２におけるカッターナイフは、利き手により刃体と尾栓の向きを変えねばならず、利き手が異なる者同士で共有する際は不便である。
【０００９】
図１３における左利き用カッターナイフは左利き専用であり、広く流通していない。
【００１０】
図１４における螺子留め式カッターナイフは、螺子を締緩する為の円盤により、それが位置する部分だけ厚みが大きくなる。
【課題を解決するための手段】
【００１１】
以上の課題を解決するために、請求項１の発明は、コの字型を成す本体１は、刃体９が出没する貫通孔２を有する前端部３と、刃体９の背側１０を覆う上部内側空間４を有する本体上部５と、刃体９の刃側１１を覆う下部内側空間６を有する本体下部７によって構成され、また刃体９を前後摺動させるスライダー１３は、本体上部５を挿通させる為の貫通孔１４を有し、本体上部５と本体下部７の間に位置する部位にスライダー１３を系止または固定させるロック機構部１５と、刃体９と接続するアーム部１６を有し、更に本体１の後端部に取り付ける尾栓２５は脱着可能に構成されたカッターナイフである。
【００１２】
請求項２に記載のスライダー１３に内蔵されたロック機構１５は、本体上部５か本体下部７、もしくはその両方に施されたノッチ８の間隔で刃体９を係止または固定させる事が出来るカッターナイフである。
【００１３】
請求項３に記載のアーム部１６ａ及びアーム１６部ｂは、刃体９の後部を両側から挟む形状であり、アーム１６部ｂは刃体９の接続用貫通孔１２に挿通させる接続用突起１７を有し、また両アーム部の根元に施された突起２４により安全に刃体交換出来るカッターナイフである。
【００１４】
請求項４に記載のアーム１６部ａ及びアーム部１６ｂは、ねじりコイルばね２９等の弾性体により洗濯バサミのように刃体９の後部を両側から挟んで固定する為、刃体交換時における刃体９の不意の脱落を防ぐ事が出来き、またアーム部１６ａ及びアーム部１６ｂの長手方向の寸法の差により、簡便な刃体交換が出来るカッターナイフである。
【００１５】
請求項５に記載の尾栓２５は、本体上部７と本体下部８の後端を覆うキャップ状部分２６と、上部内側空間４と下部内側空間６と、それらに挟まれた空間に嵌るサイズの板状突起２７を有する事を特徴とするカッターナイフである。
【００１６】
上記請求項１の課題解決手段による作用は次の通りである。
本発明のカッターナイフによれば、コの字型を成す本体１とスライダー１３の形状により、両側面は互いに鏡像反転の形状となる。
そのため刃１１を下向きにして握った際、左右どちらの手であろうと親指やそれ以外の指でもスライダー１３の操作が可能となる。
【００１７】
請求項２の課題解決手段による作用は次の通りである。
本体上部５と本体下部７に挟まれたスライダー１３のロック機構部１５に、ロック駒１８と板ばね２１等の弾性体を内蔵することにより、刃体９を系止または固定させる事が出来る為、不意の動きを防止出来る。
【００１８】
請求項３の課題解決手段による作用は次の通りである。
刃体交換の際、刃体９とスライダー１３が本体１より分離された状態に於いて、アーム部１６ａとアーム部１６ｂが刃体９後部を両側から挟み、更に刃体回転防止用突起２４が刃体９の下方への回転を防止する為、安全な取り扱いが可能となる。
【００１９】
請求項４の課題解決手段による作用は次の通りである。
アーム部１６ａとアーム部１６ｂにねじりコイルばね２９等の弾性体を内蔵する事により、刃体９の後部を洗濯バサミの様に挟んで固定する為、刃体９の不意の脱落を防ぐ事が出来る。
またアーム部１６ａとアーム部１６ｂの長手方向の寸法を変えてある為、アーム部１６ａとアーム部１６ｂを開いた際、先端部に生じる隙間が大きくなり、簡便な刃体交換が可能となる、
【００２０】
請求項５の課題解決手段による作用は次の通りである。
尾栓２５は、本体１の後端部を所定の寸法で覆うキャップ状部位２６と、上下内側空間とそれらに挟まれた空間を満たす寸法の板状突起２７で構成する事により、上部内側空間４と下部内側空間６を常に平行に保つ為、刃体９の前後摺動時のガタつきと本体１の変形を防ぐ事が出来る。
【発明の効果】
【００２１】
上述したように本発明は、本体１及びスライダー１３の形状により、左右どちらの手でも同じ使用感を実現した利き手を問わないカッターナイフである。
部品の向きの変更や、他の部品との差し替えで左利き用に変更する手間が一切必要無い構造であり、利き手を問わず使用できるユニバーサルデザインである。
また部品点数が少ないシンプルな構造のため、故障や不具合の発生が少ない。
【図面の簡単な説明】
【００２２】
【図１】本発明の一実施形態を示す斜視図である。
【図２】本発明を部品ごとに分解した斜視図である。
【図３】本体１を図１で示したＡ―Ａで切断した断面図である。
【図４】スライダー１３の斜視分解図である。
【図５】本体１及びスライダー１３の部分的斜視断面であり、ロック解除状態(Ａ)              とロック状態(Ｂ)を示した図である。
【図６】突起２４により刃体９の回転が抑えられた際の斜視図である。
【図７】尾栓２５単体の斜視図である。
【図８】図７記載の尾栓２５単体の縦断面図である。
【図９】スライダー１３の下面図であり、アーム部１６が開閉する模式図である。
【図１０】スライダー１３の様々な操作法を示した図である。                (Ａ)スライダー１３の側面を親指で操作                (Ｂ)スライダー１３の上面を親指で操作                (Ｃ)スライダー１３の上面を人差し指で操作                (Ｄ)ペングリップで保持し、スライダー１３の上面を人差し指で操作
【図１１】従来の一般的なカッターナイフの(Ａ)(Ｂ)両側面を示した図である。
【図１２】特許文献1のカッターナイフである。
【図１３】従来の左利き用カッターナイフである。
【図１４】従来の螺子留め式カッターナイフである。
【発明を実施するための形態】
【００２３】
以下、本発明の実施の形態を図１〜図１４に基づいて説明する。
【００２４】
図１においては、本発明の斜視全体図である。
替刃式の刃体９と、刃体９が出没する為の貫通孔２を有する本体前端部３と、刃体９の背側１０を覆う本体上部５と、刃体９の刃側１１を覆う本体下部７と、刃体９の前後摺動を操作するスライダー１３と、本体後端部に脱着可能な尾栓２５により構成される。
【００２５】
図２においては、部品毎に分解した斜視図である。
コの字型を成す本体１とは、「コ」の書き順で一画目横棒に該当する部分が本体上部５であり、一画目縦棒に該当する部分が本体前端部３であり、二画目横棒に該当する部分が本体下部７である。
本体１において、これら本体前端部３、本体上部５、本体下部７に囲まれた部分は空間となっている。
【００２６】
本体上部５と本体下部７が向かい合う面にノッチ８がそれぞれ二列ずつ計四列施されているが、上下どちらか一方、または一列〜四列の任意の列数でも構わない。
ノッチ８を上下どちらか一方に施した際は、後述するスライダー１３に内蔵された板ばね２１ａの山２２もノッチ８と噛み合う方だけにし、丸括弧内に図示した板ばね２１ｂのような形状となる。
【００２７】
図３においては、図１に示した本体１をＡ−Ａで切断した断面図である。
本体上部５及び本体下部７は刃体９を納める鞘であり、刃体９を直線的に前後摺動させる為のレールでもあるので、刃体９の厚みより僅かに広い溝状の上部内側空間４及び下部内側空間６をそれぞれ施してある。
前述した通り、本体上部５と本体下部７が向かい合う面に所定の間隔で刻まれたノッチ８が計四列施されているが、一列〜四列の任意の列数でも構わない。
【００２８】
図４においては、スライダー１３の分解斜視図である。
スライダー１３の形状は、本体上部５を挿通させる為の貫通孔１４を有し、本体上部７と本体下部８に挟まれたロック機構部１５と、刃体９を装着するアーム部１６で構成される。
【００２９】
ロック機構部１５には、ロック駒１８と板ばね２１ａが内蔵され、板ばね２１ａの山２２が突出するための板ばね用貫通孔２３と、ロック駒１８とその操作板１９を接続するためのロック駒用貫通孔２０が穿たれている。
【００３０】
スライダー１３の本体前端部３方向に向く面に、アーム部１６ａ及びアーム部１６ｂ、刃体回転防止用突起２４、回転軸２８を設けてあるが、前記四点がセットであれば反対の面に設けても良い。
スライダー１３を本体１に装着する際は、アーム部１６が施してある面を本体前端部３の方向に向けて装着する。
アーム部１６ｂには、刃体９に施された接続用貫通孔１２に挿通する為の接続用突起１７が施してあり、アーム部１６ａとアーム部１６ｂそれぞれの長手方向の寸法には、後述するように多少の差が設けてある。
【００３１】
図５においては、ロック解除状態(Ａ)とロック状態(Ｂ)を示したものである。
ロック解除状態(Ａ)ではスライダー１３を前後摺動させる事が出来、板ばね２１ａの山２２がノッチ８の凹凸に従って上下する。
この時ロック駒１８は、板ばね２１ａに干渉しない場所に位置している。
山２２がノッチ８の凹部に入った際に、ロック駒１８を操作板１９を以って板ばね２１ａが閉じなくなる位置へ移動させロック状態(Ｂ)とし、スライダー１３を固定させる。
板ばね２１ａとロック駒１８の位置関係は、前後反転しても構わない。
【００３２】
図６(アーム部１６ａは図示せず)においては、刃体９とスライダー１３を本体１から引き抜いた状態を示したものである。
刃体９の後部はアーム部１６ａ(図示せず)とアーム部１６ｂに挟まれ、また接続用突起１７も刃体９と接している為、刃体９は三点で保持される事になり、刃体９が左右に揺れて脱落する事を防止出来る。
接続用突起１７はアーム部１６ａ側に施しても良い。
アーム部１６の根元下部に施された刃体回転防止用突起２４により、刃体９の接続用貫通孔１２を中心とした下方への回転を防止する事により、スライダー１３と刃１１で指を挟んで怪我する事も防止できる。
【００３３】
図７においては、尾栓２５単体の斜視図である。
本体１の後端を所定の寸法で包むキャップ状部位２６と、上部内側空間４と下部内側空間６、及びそれらに挟まれた空間を満たすサイズの板状突起２７で構成される。
キャップ状部位２６で本体１の後端部を包む事により本体１の後端が上下に拡がるのを防ぎ、また板状突起２７が差し込まれる事により本体１の後端がせばまる事を防ぎ、本体１の強度を保つ事が出来る。
広く普及している刃折り機能の溝を、尾栓２５の後端部に設けても良い。
【００３４】
図８においては、尾栓２５の縦断面図である。
【００３５】
図９においては、スライダー１３の下面図であり、アーム部１６が開閉する模式図である。
回転軸２８には、丸括弧内に示したねじりコイルばね２９や板ばね３０のような弾性体が内蔵されており、それらの作用により洗濯バサミのように刃体９の後部を挟んで固定する事が出来る。
通常は弾性体の作用により(Ａ)のようにアーム部１６は閉じた状態であるが、アーム部１６の後部を両側から指で押さえる事により(Ｂ)のように先端部が開いて刃体９の脱着が容易となる。
開閉するのは両方のアームでも、どちらか一方でも構わない。
刃体９と接するアーム１６ａの内側面にはテーパーがつけてあり、刃体９を差し込み易くなっている。
アーム部１６ａとアーム部１６ｂに長短の差を設ける事により、アーム部を開いた際に先端部に生じる隙間が大きくなる為、刃体９を差し込み易くなる。
図９によればアーム部１６ａの方が短くなっているが、アーム部１６ｂの方が長くても、または同じ長さであっても構わない。
【００３６】
本発明のカッターナイフの材質は、従来のカッターナイフと同様の樹脂及び金属で作られる。
刃体９は、市販されている従来の替刃を利用する。
【００３７】
図１０においては、スライダー１３の様々な操作法を示した図である。
(Ａ)はスライダー１３の側面を親指で操作する方法で、一般的なカッターナイフの操作法
と同じである。
(Ｂ)はスライダー１３の上面を親指で操作している図である。
(Ｃ)はスライダー１３の上面を人差し指で操作している図である。
(Ｄ)はペングリップで保持し、スライダー１３の上面を人差し指で操作している図である。
左手での操作法を図示しているが、右手で操作の場合はそれぞれの図を鏡像反転した状態となる。
【符号の説明】
【００３８】
１  コの字型を成す本体
２  刃体９が出没する貫通孔
３  本体前端部
４  上部内側空間
５  本体上部
６  下部内側空間
７  本体下部
８  ノッチ
９  刃体
１０  刃体９の背
１１  刃体９の刃
１２  刃体９とアーム１６ｂを接続する為の接続用貫通孔
１３  スライダー
１４  本体上部５を挿通させる為の貫通孔
１５  ロック機構部
１６ａ  アーム部
１６ｂ  接続用突起１７を施したアーム部
１７  貫通孔１２に挿通させる為の接続用突起
１８  ロック駒
１９  ロック駒１８の操作板
２０  ロック駒１８と操作板１９を接続させる為、スライダー１３に穿ったロック駒用貫
通孔
２１ａ  上下両山の板ばね
２１ｂ  片山の板ばね
２２  ノッチ８と噛み合う板ばね２１に施した山
２３  ノッチ８と山２２が接するよう、スライダー１３に穿った板ばね用貫通孔
２４  刃体９の回転防止用突起
２５  尾栓
２６  キャップ状部位
２７  板状突起
２８  回転軸
２９  ねじりコイルばね
３０  板ばね
【要約】
【課題】
従来のカッターナイフは、刃体を出没させる為のスライダーが片面にしか設置されておらず、右手での使用が前提の形状である。
全体の形状を鏡像反転した左利き専用のカッターナイフや、部品交換や部品の向きの変更により左右兼用を実現したカッターナイフも存在するが、市場には広く出回っていない。
【解決手段】
コの字型の形状を成す本体は、刃体が出没するスリット孔を有する前端部と、刃体の背側を覆う内側空間を有し前後に伸びる本体上部と、刃体の刃側を覆う内側空間を有し前後に伸びる本体下部により構成され、また刃体を前後摺動させるスライダーは、本体上部を挿通させる貫通孔を有する部位と、本体上部と本体下部に挟まれた部分にロック機構部と、刃体と接続するアームを有する形状を成し、更に本体後端部には脱着可能な尾栓で構成された、一般的な替刃を利用出来る利き手を問わないカッターナイフ。
【選択図】  図１【図１】
0005588083.tif 000002
【図２】
0005588083.tif 000003
【図３】
0005588083.tif 000004
【図４】
0005588083.tif 000005
【図５】
0005588083.tif 000006
【図６】
0005588083.tif 000007
【図７】
0005588083.tif 000008
【図８】
0005588083.tif 000009
【図９】
0005588083.tif 000010
【図１０】
0005588083.tif 000011
【図１１】
0005588083.tif 000012
【図１２】
0005588083.tif 000013
【図１３】
0005588083.tif 000014
【図１４】
0005588083.tif 000015